(57)【要約】      （修正有）【課題】個々の流量を簡易に算出することで、空調システムのエネルギー省力化を効果的に実施する空調システムを提供する。【解決手段】冷凍機それぞれに流入する直前の流体の温度と、それぞれから流出した直後の流体の温度との差である温度差および、複数の冷凍機に分岐する前の流体の温度と複数の冷凍機から合流した後の流体温度との差である全体温度差との入力を受け付けるステップ（Ｓ１）と、複数の冷凍機ごとに前記温度差と前記全体温度差との差を算出し、当該複数の冷凍機における温度差の差のそれぞれの比から流量比率を算出するステップ（Ｓ２）と、前記流量比率に基づいて、流量の最も大きい冷凍機を選択するステップ（Ｓ３〜Ｓ６）と、を含む。【選択図】図５
2015094572.tif 000002
【特許請求の範囲】
【請求項１】
複数の熱交換器において、それぞれに流入する直前の流体の温度と、それぞれから流出した直後の流体の温度とを計測することができる空調システムにおいて最も流量の大きい熱交換器を選択する方法であって、
熱交換器それぞれに流入する直前の流体の温度と、それぞれから流出した直後の流体の温度との差である温度差および、前記複数の熱交換器に分岐する前の流体の温度と前記複数の熱交換器から合流した後の流体温度との差である全体温度差との入力を受け付けるステップと、
前記複数の熱交換器ごとに前記温度差と前記全体温度差との差を算出し、当該複数の熱交換器における温度差の差のそれぞれの比から流量比率を算出するステップと、
前記流量比率に基づいて、流量の最も大きい熱交換器を選択するステップと、
を含む選択方法。
【請求項２】
第１の熱交換器および第２の熱交換器の２つの熱交換器において、それぞれに流入する直前の流体の温度と、それぞれから流出した直後の流体の温度を計測することができる空調システムにおいて流量の最も大きい熱交換器を選択する方法であって、
第１の熱交換器に流入する直前の流体の温度と、第１の熱交換器から流出した直後の流体の温度との差である第１の温度差、第２の熱交換器に流入する直前の流体の温度と、第２の熱交換器から流出した直後の流体の温度との差である第２の温度差、および、前記２つの熱交換器に分岐する前の流体の温度と、前記２つの熱交換器から合流した後の流体温度との差である全体温度差の入力を受け付けるステップと、
前記第１の温度差と前記全体温度差との差と、前記全体温度差と前記第２の温度差との差とを算出し、それらから第２の熱交換器の流量に対する第１の熱交換器の流量の比率である流量比率を算出するステップと、
前記流量比率が１より大きければ第１の熱交換器を、１より小さければ第２の熱交換器を選択するステップと、
を含む選択方法。
【請求項３】
第１の熱交換器、第２の熱交換器、および第３の熱交換器の３つの熱交換器において、それぞれに流入する直前の流体の温度と、それぞれから流出した直後の流体の温度とを計測することができる空調システムにおいて流量の最も大きい熱交換器を選択する方法であって、
前記３つの熱交換器それぞれにについて、流入する直前の流体の温度と流出した直後の流体の温度との差である温度差情報をΔＴ１、ΔＴ２、ΔＴ３とし、流出した直後の流体の流量Ｆ１、Ｆ２、Ｆ３とし、前記３つの熱交換器から合流した後の流体の流量をＦｓとし、前記３つの熱交換器に分岐する前の流体の温度と合流した後の流体の温度との差である全体温度差をΔＴとするとき、その全ての入力を受け付けるステップと、
前記流量Ｆ２に対する前記流量Ｆ１との比率を流量比率αとし、前期流量Ｆ３に対する前記流量Ｆ１との比率を流量比率βとするとき、
式     α＝｛（ΔＴ３−ΔＴ１）×Ｆｓ＋（ΔＴ−ΔＴ３）×Ｆ１｝
／（ΔＴ２−ΔＴ３）×Ｆ１
および
式     β＝Ｆｓ／Ｆ１−（１+α）
に基づいて、前記流量比率αおよびβを算出するステップと、
αおよびβが１より小さいときは熱交換器１を、αが１より大きくβが１より小さいとき並びにαおよびβが１より大きくαがβより大きいときは熱交換器２を、αが１より小さくβが１より大きいとき並びにαおよびβが１より大きくαがβより小さいときは熱交換器３を、選択するステップと、
を含む選択方法。
【請求項４】
選択するステップは、前記流量比率が１と等しい場合、予め定めた熱交換器を選択することを特徴とする、
請求項２に記載の選択方法。
【請求項５】
選択するステップは、前記流量Ｆ１、Ｆ２およびＦ３のうち最大の流量が複数ある場合には、当該複数の熱交換器を選択することを特徴とする、請求項３に記載の選択方法。
【発明の詳細な説明】
【技術分野】
【０００１】
本発明は、空調システムにおいて、設備機器のエネルギー効率を高めるための設備を選択する選択方法に関するものである。
【背景技術】
【０００２】
図１は、従来の工場やビルなどの施設に導入される空調システムの概略図を示している。室温を調節するための空調機Ａと、冷媒である冷水を冷やすための冷凍機Ｂと、空調負荷に応じて冷水の流量制御を行う冷水ポンプＣとを備える２次系統と、冷凍機Ｂに冷却能力を与える冷却塔Ｄと、冷却水温度などに応じて冷却水の流量などを制御する冷却水ポンプＥとを備える１次系統の２つの循環システムを空調システムは備えている。大規模な空調システムになると、複数の冷凍機Ｂを有するものもある。
【０００３】
図２に、大規模な空調システムの冷水ポンプＣ（冷水ポンプ１_Ｃ１，冷水ポンプ２_Ｃ２）と冷凍機Ｂ（冷凍機１_Ｂ１，冷凍機２_Ｂ２，冷凍機３_Ｂ３）の概略図を示す。冷
水ポンプＣと冷凍機Ｂが複数備わっており、それぞれ並列に接続されている。このようにして冷却能力を向上させている。
【０００４】
空調システムをフル稼働させていないときには、エネルギーの利用効率のよい冷凍機Ｂを優先的に稼動させる等により、全体のエネルギーの利用効率をよりよくすることができる。また、エネルギー利用効率を向上させる手段としては、流量の多い冷凍機Ｂに対して優先してさまざまな省エネ対策を実施することが考えられる。なおエネルギーの利用効率とは、空調システムが利用する電力量に対してどれだけ空調能力を発揮したかというシステムの能力を示すものである。
【０００５】
これらの実現のためにはまず、各冷凍機Ｂの能力発揮状況と流量とを把握することが必要である。具体的には、各冷凍機Ｂに流れる冷却水の流量および温度、各冷凍機Ｂのエネルギー使用量等を測定し、各冷凍機Ｂの余力や仕事量を算出することとなる。
【０００６】
しかし、冷凍機Ｂには温度計が設置され、冷凍機Ｂに流入する冷却水の温度及び冷凍機Ｂから流出する温度を測定していることが多いものの、流量計が設置されていることは稀である。それゆえ冷凍機Ｂの流量を測定するためには流量計の設置が必要となるが、流量計自体の追加購入やその設置のために大幅なコストがかかっているのが現状である。なお便宜上、冷房システムについて取り上げて説明したが、暖房などの温度調整を行うシステムでも同様である。
【先行技術文献】
【特許文献】
【０００７】
【特許文献１】特開２０１２−２１５３４９号公報
【発明の概要】
【発明が解決しようとする課題】
【０００８】
そこで、流量を計測する技術として特許文献１が挙げられる。この技術は、圧力設定値を活用して流量を逆算するシステムが記載されており、これにより流量計の設置が不要となっている。しかしこのシステムでは、冷凍機１台しか流量を推定できない。また、複数台の冷凍機の流量を測定しようとするとその複数台数分のシステムが必要になってしまい結局大幅なコストがかかってしまう。
【課題を解決するための手段】
【０００９】
一実施形態に従う選択方法は、複数の熱交換器において、それぞれに流入する直前の流体の温度と、それぞれから流出した直後の流体の温度とを計測することができる空調システムにおいて最も流量の大きい熱交換器を選択する方法であって、熱交換器それぞれに流入する直前の流体の温度と、それぞれから流出した直後の流体の温度との差である温度差および、前記複数の熱交換器に分岐する前の流体の温度と前記複数の熱交換器から合流した後の流体温度との差である全体温度差との入力を受け付けるステップと、前記複数の熱交換器ごとに前記温度差と前記全体温度差との差を算出し、当該複数の熱交換器における温度差の差のそれぞれの比から流量比率を算出するステップと、前記流量比率に基づいて、流量の最も大きい熱交換器を選択するステップと、を含むものである。
【００１０】
また別の一実施形態に従う選択方法は、第１の熱交換器および第２の熱交換器の２つの熱交換器において、それぞれに流入する直前の流体の温度と、それぞれから流出した直後の流体の温度を計測することができる空調システムにおいて流量の最も大きい熱交換器を選択する方法であって、第１の熱交換器に流入する直前の流体の温度と、第１の熱交換器から流出した直後の流体の温度との差である第１の温度差、第２の熱交換器に流入する直前の流体の温度と、第２の熱交換器から流出した直後の流体の温度との差である第２の温度差、および、前記２つの熱交換器に分岐する前の流体の温度と、前記２つの熱交換器から合流した後の流体温度との差である全体温度差の入力を受け付けるステップと、前記第１の温度差と前記全体温度差との差と、前記全体温度差と前記第２の温度差との差とを算出し、それらから第２の熱交換器の流量に対する第１の熱交換器の流量の比率である流量比率を算出するステップと、前記流量比率が１より大きければ第１の熱交換器を、１より小さければ第２の熱交換器を選択するステップと、を含むものである。
【００１１】
また別の一実施形態に従う選択方法は、第１の熱交換器、第２の熱交換器、および第３の熱交換器の３つの熱交換器において、それぞれに流入する直前の流体の温度と、それぞれから流出した直後の流体の温度とを計測することができる空調システムにおいて流量の最も大きい熱交換器を選択する方法であって、前記３つの熱交換器それぞれにについて、流入する直前の流体の温度と流出した直後の流体の温度との差である温度差情報をΔＴ１、ΔＴ２、ΔＴ３とし、流出した直後の流体の流量Ｆ１、Ｆ２、Ｆ３とし、前記３つの熱交換器から合流した後の流体の流量をＦｓとし、前記３つの熱交換器に分岐する前の流体の温度と合流した後の流体の温度との差である全体温度差をΔＴとするとき、その全ての入力を受け付けるステップと、前記流量Ｆ２に対する前記流量Ｆ１との比率を流量比率αとし、前期流量Ｆ３に対する前記流量Ｆ１との比率を流量比率βとするとき、式  α＝｛（ΔＴ３−ΔＴ１）×Ｆｓ＋（ΔＴ−ΔＴ３）×Ｆ１｝／（ΔＴ２−ΔＴ３）×Ｆ１および式β＝Ｆｓ／Ｆ１−（１+α）に基づいて、前記流量比率αおよびβを算出するステッ
プと、αおよびβが１より小さいときは熱交換器１を、αが１より大きくβが１より小さいとき並びにαおよびβが１より大きくαがβより大きいときは熱交換器２を、αが１より小さくβが１より大きいとき並びにαおよびβが１より大きくαがβより小さいときは熱交換器３を、選択するステップと、を含むものである。
【００１２】
また別の一実施形態に従う選択方法は、前記流量比率が１と等しい場合、予め定めた熱交換器を選択するものである。
【００１３】
また別の一実施形態に従う選択方法は、前記流量Ｆ１、Ｆ２およびＦ３のうち最大の流量が複数ある場合には、当該複数の熱交換器を選択してもよい。
【発明の効果】
【００１４】
本発明によれば、個々の流量を簡易に算出することで、空調システムのエネルギー省力化を効果的に実施することができる。
【図面の簡単な説明】
【００１５】
【図１】一般的な空調システムの概略図である。
【図２】一般的な複数の冷水ポンプと冷凍機を備える空調システムの概略図の一部である。
【図３】実施例１における冷凍機の概略図である。
【図４】実施例１におけるハードブロック図である。
【図５】実施例１における処理のフローチャートである。
【図６】実施例２における冷凍機の概略図である。
【図７】実施例２におけるハードブロック図である。
【図８】実施例２における処理のフローチャートである。
【発明を実施するための形態】
【００１６】
本発明の実施例においては、冷却水を冷媒と表現している。
本発明における実施例を以下に示す。本実施例を、実施例１と表記する。実施例１は、冷凍機２台を有する空調システムに関するものである。空調システムの概略図は、図１と同様である。
【００１７】
図３は、空調システムについて複数の冷凍機Ｂとその前後の冷媒の流路を詳しく示した図である。実施例１では、図１における冷凍機Ｂが２台（冷凍機１_Ｂ１、冷凍機２_Ｂ２）で備えられた空調システムとなっており、２台の冷凍機Ｂは並列に設置されている。点ｒは、冷媒が冷水ポンプＣから冷凍機Ｂに流れるまでの間で、各冷凍機Ｂに流入するために分岐する前の点を示しており、点ｓは、各冷凍機Ｂから流出する冷媒が合流した後、空調機Ａへ流れるまでの点を示している。また、点ｒ１および点ｒ２は、冷水ポンプＣから各冷凍機Ｂに流入するために分岐した冷媒が、冷凍機１_Ｂ１および冷凍機２_Ｂ２に流入するまでの分岐点から各冷凍機Ｂまでの点を示しており、点ｓ１および点ｓ２は冷凍機Ｂから流出した冷媒が他の冷凍機Ｂから流出した冷媒と合流するまでのある点を示している。冷媒は、点ｒから点ｒ１および点ｒ２に分岐して流れ、それぞれ冷凍機１_Ｂ１、冷凍
機２_Ｂ２を通って冷却され、それぞれ点ｓ１および点ｓ２から点ｓに合流して流れる。
また各点における流量Ｆと温度Ｔを、各点の記号を用いて表現することとする。例えば温度Ｔｒ１とは、点ｒ１における冷媒の温度を示し、流量Fｓとは、点ｓにおける流量を示
すこととする。なお、実施例１において実測値を取得するのは、全ての点における温度（Ｔｒ，Ｔｒ１，Ｔｒ２，Ｔｓ，Ｔｓ１，Ｔｓ２）である。
【００１８】
図４は実施例１において、２台の冷凍機Ｂと、それらの流量を推定するための温度センサと、一連の動作を行うコンピュータとを示したハードブロック図である。一連の動作とは、センサ情報から流量を算出し、エネルギー省力化に有効となる冷凍機Ｂを特定するというものである。各種プログラムを実行するＣＰＵ１１と、各種データを格納するＲＯＭ（Read Only Memory）１２と、ＣＰＵ１１でのプログラムの実行に必要なデータを格納するための作業領域を提供するＲＡＭ１３と、ＣＰＵ１１で実行されるプログラムなどを不揮発的に格納するＨＤＤ（Hard Disk Drive）１４とを含む。さらに、情報をユーザに提
示するためのディスプレイ１５と、各種センサ情報を受け付ける通信インタフェース１６を含む。ＰＣ１０で実行される各種プログラムは、ＨＤＤ１４などへ格納される。図３に示した各点（ｒ、ｒ１、ｒ２、ｓ、ｓ１、ｓ２）にはそれぞれ温度センサ（ＴＲ、ＴＲ１、ＴＲ２、ＴＳ、ＴＳ１、ＴＳ２）が設置されており、通信インタフェース１６を介してコンピュータに情報を送信する。
【００１９】
実施例１は、全体のエネルギー利用効率を向上させるために、最も負荷の高い冷凍機Ｂを選択するものである。例えば仕事量が一定になるように制御するなどエネルギーの利用効率を向上させるような施策を、特定した冷凍機Ｂから優先して実施することで、全体の
利用効率をよりよくすることができるからである。
【００２０】
図５は、実施例１における空調システムから冷凍機Ｂを選択するためのコンピュータの動作を示すフローチャートである。
【００２１】
まず、最初のステップ（Ｓ１）では、コンピュータは、通信インタフェース１６を通じて点ｒ、ｒ１、ｒ２、ｓ、ｓ１およびｓ２に設置されている各温度センサから温度情報を受け付ける。受け付けた温度情報は、ＨＤＤ１４に格納される。
【００２２】
次のステップ（Ｓ２）では、通信インタフェース１６を通じて受け付けた６つの温度情報のうち、温度Ｔｒ１、Ｔｒ２，Ｔｓ１およびＴｓ２の４つの温度情報をＨＤＤ１４からＣＰＵ１１が読み出し、プログラムを実行して冷凍機１_Ｂ１に対する冷凍機２_Ｂ２の流量比率αを算出する。
【００２３】
ここで、ＲＯＭ１２に記憶されている、実施例１における流量比率の算出方法の導出の仕方について、図３の各点を用いて説明する。各冷凍機Ｂに流入する冷媒の流量と、各冷凍機Ｂから流出する冷媒の流量はほぼ等しいため、例えば冷凍機１_Ｂ１に関しては、冷
凍機１_Ｂ１の流量をＦ１と表記することとする。数式ではＦ１＝Ｆｒ１＝Ｆｓ１と表さ
れる。冷凍機２_Ｂ２に関しても同様とする。
【００２４】
複数の冷凍機Ｂに分岐する前の温度と、各冷凍機Ｂを通り合流した後の温度との温度差をΔＴ（＝Ｔｒ−Ｔｓ）、冷凍機１_Ｂ１および冷凍機２_Ｂ２の冷媒の流量をそれぞれＦ１、Ｆ２、それぞれの冷凍機Ｂの直前直後の冷媒の温度差をΔＴｉ（末尾ｉは冷凍機番号を示す。以下同じ）（＝Ｔｒｉ−Ｔｓｉ）とすると、熱量保存から式１１が成り立つ。
式１１  ΔＴ×Ｆｓ＝ΔＴ１×Ｆ１＋ΔＴ２×Ｆ２
また流量保存から式１２が成り立つ。
式１２  Ｆｓ＝Ｆ１＋Ｆ２
【００２５】
また、冷凍機１_Ｂ１と冷凍機２_Ｂ２の流量比率をαとすると、式１３が成り立つ。
式１３  Ｆ２＝α×Ｆ１
式１１ないし式１３より、式１４が成り立つ。
式１４  α＝（ΔＴ１−ΔＴ）／（ΔＴ−ΔＴ２）
すなわち、式１４を用いることによって、各冷凍機Ｂ前後の温度差ΔＴｉおよび冷凍機Ｂ全体の前後の温度差ΔＴに基づいて、流量比率αを算出する。
【００２６】
図５のフローチャートに戻り、次のステップ（Ｓ３）では、ＣＰＵ１１は、算出したαが、１より小さいかどうか判断し、１より小さければＦ１＞Ｆ２、そうでなければＦ１＜Ｆ２と判断して、流量の大きい順に、ＲＡＭ１３の割り当てられた記憶範囲に蓄積する（Ｓ４、Ｓ５）。
【００２７】
最後のステップでは、ＣＰＵ１１は、一番最初に蓄積された冷凍機Ｂの番号を読み出し（Ｓ６）、ディスプレイに表示させる（Ｓ７）。なお、実施例１ではα＝１の場合、冷凍機２_Ｂ２を表示する。なお、α＝１のときには冷凍機１_Ｂ１を表示してもよく、等しいことを表示してもよく、その全ての冷凍機Ｂを表示してもよい。
【００２８】
これにより、実施例１で示すように温度情報を入力として、流量の大きい冷凍機Ｂを表示することができる。
【００２９】
別の実施例について説明する。本実施例は実施例２と表記する。
【００３０】
図６は冷凍機Ｂを３台備える空調システムの、冷凍機Ｂとその前後の冷媒の流路を詳しく示した図であり、冷凍機３_Ｂ３が並列につながれているところ以外は図１と同様であ
る。各点に関連する流量と温度の表記の仕方については図３と同様である。点ｒ３は、冷媒が冷水ポンプＣから各冷凍機Ｂに流入するために分岐した後、冷凍機３_Ｂ３に流入す
るまでの分岐点から冷凍機３_Ｂ３までの点を示しており、点ｓ３は冷凍機３_Ｂ３から流出した冷媒が他の冷凍機Ｂから流出した冷媒と合流するまでの点を示している。点ｒ、ｒ１、ｒ２、ｓ、ｓ１、ｓ２については実施例１と同様である。また、図示しないが、点ｒ、ｒ１、ｒ２、ｒ３、ｓ、ｓ１、ｓ２、ｓ３それぞれに温度センサが設置されており、また点ｓ、点ｓ１にはそれぞれ流量計ＦＳ，ＦＳ１が設置されている。ＦＳでは冷凍機Ｂ全体に流れる冷媒の流量が計測でき、ＦＳ１では冷凍機１_Ｂ１に流れる冷媒の流量が計測
できる。
【００３１】
実施例２におけるハードブロック図を図７に示す。図４と比較して冷凍機１_Ｂ１およ
び冷凍機２_Ｂ２に冷凍機３_Ｂ３が並列追加されており、点ｒ３における温度及び流量をＴｒ３、Ｆｒ３、点ｓ３における温度及び流量をＴｓ３、Ｆｓ３とする。
【００３２】
また、実施例２は、実施例１と同様に、全体のエネルギー利用効率を向上させるために、最も負荷の高い冷凍機Ｂを選択するものである。
【００３３】
図８は、実施例２における空調システムから冷凍機Ｂを選択するためのコンピュータの動作を示すフローチャートである。
まず最初のステップ（Ｓ１１）で、コンピュータは、通信インタフェース１６を通じて点ｒ、ｒ１、ｒ２、ｒ３、ｓ、ｓ１、ｓ２およびｓ３に設置されている温度センサからの温度情報を受け付ける。また、点ｓおよび点ｓ１に設置されている流量センサからの流量情報ＦｓおよびＦｓ１を受け付ける。
【００３４】
次のステップ（Ｓ１２）では、通信インタフェース１６を通じて受け付けた６つの温度情報のうち、温度Ｔｒ１、Ｔｒ２，Ｔｓ１およびＴｓ２の４つの温度情報と、流量Ｆｓ１およびＦｓの２つの流量情報とをＨＤＤ１４から読み出し、プログラムを実行して冷凍機１_Ｂ１に対する冷凍機２_Ｂ２の流量比率αおよび冷凍機１_Ｂ１に対する冷凍機３_Ｂ３の流量比率βを算出する。
【００３５】
ここで、実施例２における流量比率αおよびβの算出方法の導出の仕方について図６を用いて説明する。各冷凍機Ｂに流入する冷媒の流量と、各冷凍機Ｂから流出する冷媒の流量はほぼ等しいため、例えば冷凍機１_Ｂ１に関しては、冷凍機１_Ｂ１の流量をＦ１と表記することとする。数式ではＦ１＝Ｆｒ１＝Ｆｓ１と表される。冷凍機２_Ｂ２および冷
凍機３_Ｂ３についても同様とする。
【００３６】
各冷凍機Ｂに分岐する前の温度と、各冷凍機Ｂを通り合流した後の温度との温度差をΔＴ（＝Ｔｒ−Ｔｓ）、冷凍機１_Ｂ１、冷凍機２_Ｂ２および冷凍機３_Ｂ３の冷媒の流量
をそれぞれＦ１、Ｆ２、Ｆ３、それぞれの冷凍機Ｂの直前直後の冷媒の温度差をΔＴｉ（末尾ｉは冷凍機番号を示す。以下同じ）（＝Ｔｒｉ−Ｔｓｉ）とすると、熱量保存より式２１が成り立つ。
式２１  ΔＴ×Ｆｓ＝ΔＴ１×Ｆ１＋ΔＴ２×Ｆ２＋ΔＴ３×Ｆ３
【００３７】
また流量保存より式２２が成り立つ。
式２２  Ｆｓ＝Ｆ１＋Ｆ２＋Ｆ３
冷凍機１_Ｂ１と冷凍機２_Ｂ２の流量比率をαとすると式２３が成り立つ。
式２３  Ｆ２=α×Ｆ１
また冷凍機３_Ｂ３と冷凍機１_Ｂ１の流量比率をβとすると式２４が成り立つ。
式２４  Ｆ３=β×Ｆ１
式２１ないし式２４から、式２５が成り立つ。
式２５  α＝｛（ΔＴ３−ΔＴ１）×Ｆｓ＋（ΔＴ−ΔＴ３）×Ｆ１｝
／（ΔＴ２−ΔＴ３）×Ｆ１
β＝Ｆｓ／Ｆ１−（１+α）
【００３８】
すなわち、すでに受け付けた各温度情報および流量情報と、式２５とから流量比率αおよびβを算出することができる。すなわち、各温度差ΔＴ、ΔＴｉ（ｉ＝１〜３）と、全体の流量Ｆｓ、冷凍機１_Ｂ１の流量Ｆ１のみ情報収集することで冷凍機Ｂを選択するこ
とができる。なお、冷凍機１_Ｂ１の流量測定を行う例を示したが、いずれの冷凍機Ｂの
流量でも可能である。また全体の流量は点ｒで測定した流量Ｆｒでもよい。例えば冷凍機１_Ｂ１の代わりに冷凍機２_Ｂ２の流量を抽出した場合については、各式のそれぞれの流量Ｆ１およびＦ２を入れ替えて算出すればよい。
【００３９】
図８に戻り、次のステップ（Ｓ１３〜Ｓ２７）では、ＣＰＵ１１は、算出したαとβとの大小関係およびそれらが１より大きいかどうかを算出し、流量の大きい順に、割り当てられた記憶範囲に蓄積する。具体的には以下の通りである。すなわち、α＞β＞１またはα＞１＞βが成り立つとき冷凍機２_Ｂ２をＣＰＵ１１は選択する（Ｓ２４またはＳ２６
）。また、β＞α＞１またはβ＞１＞αが成り立つとき冷凍機３_Ｂ３をＣＰＵ１１は選
択する（Ｓ２５）。また、１＞αかつ１＞βが成り立つとき冷凍機１_Ｂ１をＣＰＵ１１
は選択する（Ｓ２７）。
【００４０】
最後のステップ（Ｓ２８）では、ＣＰＵ１１は、ＲＡＭ１３に記憶されている選択された冷凍機Ｂの番号をディスプレイに出力する。
【００４１】
その他、実施例を冷凍機Ｂに限定して記載しているが、温度およびその他のパラメータを利用する熱交換器であれば本発明を適用することができ、例えば温水系統の暖房装置にも利用することができる。
【００４２】
また、実施例では、流量の最も大きい冷凍機Ｂを選択しているが、予め選択条件を入力しておき、その条件に合うものを選択するようにしてもよい。例えばシステム効率（＝流量×温度差÷使用エネルギー）を冷凍機ごとに算出することで、最もシステム効率の悪い冷凍機を選択してもよい。この場合使用エネルギーについては、各冷凍機に電力量計を設置して使用電力量を計測することで実現可能である。この場合、選択された冷凍機の流量を減らすことにより、エネルギー効率のよい冷凍機を優先して運転させることができ、その結果全体のシステム効率を向上させることができる。また、各冷凍機が冷房能力に対して余裕を持って稼動している場合、流量の最も小さい冷凍機を選択するようにしてもよい。なぜなら通常、全体で等しい流量なら、複数の冷凍機を利用するより１つの冷凍機単独で運転させるほうがエネルギー効率が良いからである。そのため、例えば全体の流量を減らす場合に、流量の少ない冷凍機の流量を率先して減らすことによりシステム効率のよい稼動が実現できる。
【符号の説明】
【００４３】
Ａ…空調機、Ｂ…冷凍機、Ｃ…冷水ポンプ、Ｄ…冷却塔、Ｅ…冷却水ポンプ、Ｆｒ，Ｆｒ１，Ｆｒ２，Ｆｓ，Ｆｓ１，Ｆｓ２…流量、ｒ，ｒ１，ｒ２，ｒ３，ｓ，ｓ１，ｓ２，ｓ３…点、Ｔｒ，Ｔｒ１，Ｔｒ２，Ｔｓ，Ｔｓ１，Ｔｓ２…温度、ＴＲ，ＴＲ１，ＴＲ２，ＴＲ３，ＴＳ，ＴＳ１，ＴＳ２，ＴＳ３…温度センサ、１０…ＰＣ、１１…ＣＰＵ、１２…ＲＯＭ、１３…ＲＡＭ、１４…ＨＤＤ、１５…ディスプレイ、１６…通信インタフェース
【図１】
2015094572.tif 000003
【図２】
2015094572.tif 000004
【図３】
2015094572.tif 000005
【図４】
2015094572.tif 000006
【図５】
2015094572.tif 000007
【図６】
2015094572.tif 000008
【図７】
2015094572.tif 000009
【図８】
2015094572.tif 000010